(57)【要約】引き出しスライドアセンブリは、平行アセンブリオフセット部を具備する細長く平らなウエッブ（１３）を有していて前記ウエッブがその長手に沿う上部と下部ベアリング走行路を有する、外側スライド部材（１１）と、細長く平らなウエッブ（２１）を有していて前記ウエッブがその長手に沿う上部内側及び外側ベアリング走行路、及び下部内側及び外側ベアリング走行路を有する、中間スライド部材（１９）と、細長く平らなウエッブ（２９）を有していて前記ウエッブがその長手に沿う上部と下部ベアリング走行路とを有する、内側スライド部材（２７）と、外側と中間スライド部材及び中間と内側スライド部材のそれぞれの間に配設され且つそれらに転がり係合するベアリング（４７，４９）と、を有する。
2005505327.tif 000002
【特許請求の範囲】
【請求項１】
引き出しスライドアセンブリにおいて、この引き出しスライドアセンブリは、
細長く平らなウエッブを有する外側スライド部材であって、前記平らなウエッブは前記平らなウエッブの長手に沿う上部ベアリング走行路及び下部ベアリング走行路により制限されていて且つそれらの走行路に対して実質的に垂直であり、前記平らなウエッブの外形は実質的に平行でオフセットする中央部を制限する端部を形成する、外側スライド部材と、
細長く平らなウエッブを有する中間スライド部材であって、前記平らなウエッブは前記平らなウエッブの長手に沿う上部内側及び外側ベアリング走行路及び下部内側及び外側ベアリング走行路により制限されていて且つそれらの走行路に対して実質的に垂直であり、前記平らなウエッブの外形は実質的に平行でオフセットする中央部を制限する端部を形成する、中間スライド部材と、
細長く平らなウエッブを有する内側スライド部材であって、前記平らなウエッブが前記平らなウエッブの長手に沿う上部ベアリング走行路及び下部ベアリング走行路により制限される、内側スライド部材と、
前記外側及び中間スライド部材それぞれの間に配設され且つそれらに転がり係合する複数のベアリング、及び前記中間及び内側スライド部材それぞれの間に配設され且つそれらに転がり係合する複数のベアリングと、
を具備する引き出しスライドアセンブリ。
【請求項２】
前記外側スライド部材のベアリング走行路は各々、前記ベアリングを収容するベアリングガセットを具備する請求項１に記載の引き出しスライドアセンブリ。
【請求項３】
前記ベアリングガセットは硬化された表面を有する請求項２に記載の引き出しスライドアセンブリ。
【請求項４】
前記ベアリングガセットの前記硬化された表面は冷間圧延加工による硬化表面である請求項３に記載の引き出しスライドアセンブリ。
【請求項５】
前記ガセットは６５度のベアリング接触角度を形成する請求項２に記載の引き出しスライドアセンブリ。
【請求項６】
前記外側スライド部材のベアリング走行路は形成された停止を具備する請求項１に記載の引き出しスライドアセンブリ。
【請求項７】
前記中間スライド部材の上部と下部の内側ベアリング走行路、及び上部と下部の外側ベアリング走行路は、前記中間スライド部材の二重の重なり部分により形成される請求項２に記載の引き出しスライドアセンブリ。
【請求項８】
前記内側と外側走行路に接続する角度付きの移行部分を更に具備する請求項７に記載の引き出しスライドアセンブリ。
【請求項９】
前記外側スライド部材に取り付けられた少なくとも一つの設置ブラケットを更に具備する請求項１に記載の引き出しスライドアセンブリ。
【請求項１０】
前記設置ブラケットは前記外側スライドに取り付けられるように適合されたフェースプレートを具備する請求項９に記載の引き出しスライドアセンブリ。
【請求項１１】
前記フェースプレートは三角形のパターンに配置された設置孔を具備する請求項１０に記載の引き出しスライドアセンブリ。
【請求項１２】
前記設置孔は突き出る請求項１１に記載の引き出しスライドアセンブリ。
【請求項１３】
前記設置孔はネジ切られる請求項１１に記載の引き出しスライドアセンブリ。
【請求項１４】
前記設置ブラケットは、別の構造に前記ブラケットを取り付けるように適合される前部フランジを具備する請求項９に記載の引き出しスライドアセンブリ。
【請求項１５】
前記設置ブラケットは、前記外側スライド部材を収容する覆いフランジを具備する請求項９に記載の引き出しスライドアセンブリ。
【請求項１６】
前記設置ブラケットを別の構造に固定するように適合される少なくとも一つのピンを更に具備する請求項９に記載の引き出しスライドアセンブリ。
【請求項１７】
前記ピンは使い捨て可能である請求項１６に記載の引き出しスライドアセンブリ。
【請求項１８】
前記ピンは実質的に円筒状である請求項１６に記載の引き出しスライドアセンブリ。
【請求項１９】
前記ピンはその中央部の周りに拡大された部分を具備する請求項１８に記載の引き出しスライドアセンブリ。
【請求項２０】
前記ピンはその中央部の周りに開口を具備する請求項１８に記載の引き出しスライドアセンブリ。
【請求項２１】
引き出しスライドアセンブリにおいて、この引き出しスライドアセンブリは、
細長く平らなウエッブを有する外側スライド部材であって、前記平らなウエッブが前記平らなウエッブの長手に沿う上部ベアリング走行路及び下部ベアリング走行路により制限される、外側スライド部材と、
細長く平らなウエッブを有する中間スライド部材であって、前記平らなウエッブが前記平らなウエッブの長手に沿う上部内側と外側ベアリング走行路、及び下部内側と外側ベアリング走行路により制限される、中間スライド部材と、
上部ベアリング走行路及び下部ベアリング走行路により制限される、細長く平らなウエッブを有する内側スライド部材と、
前記外側スライドの上部ベアリング走行路と前記中間スライドの上部外側ベアリング走行路との間で、及び前記外側スライドの下部ベアリング走行路と前記中間スライドの下部外側ベアリング走行路との間で、及び前記中間スライドの上部内側ベアリング走行路と前記内側スライドの上部ベアリング走行路との間で、及び前記中間スライドの下部内側ベアリング走行路と前記内側スライドの下部ベアリング走行路との間で、それぞれ配設され且つそれらに転がり係合する複数のベアリングと、更に
スライド部材に結合されるように適合されるフェースプレートを有する設置ブラケットであって、覆いフランジが前記フェースプレートから実質的に垂直に伸張し且つスライド部材を収容するように適合されており、前部フランジは前記フェースプレートに対して実質的に垂直で且つ構造に結合されるように適合される、設置ブラケットと、
を具備する引き出しスライドアセンブリ。
【請求項２２】
引き出しスライド部材において、この引き出しスライド部材は、
外側スライド部材を具備しており、
前記外側スライド部材は、
中央の垂直なウエッブ部と、
前記中央の垂直なウエッブ部に実質的に平行で且つそれからオフセットする、上部垂直部と、
前記上部垂直部から一般的に水平に伸張していて、そこにベアリングを収容するための一般的に平らな長手方向のベアリング走行路を有する、上部アームと、
前記上部アームから一般的に垂直下方向に伸張するリップと、
前記中央垂直ウエッブ部に実質的に平行で且つそこからオフセットする下部垂直部であって、そこでは前記上部と下部垂直部が実質的に整列する下部垂直部と、
前記下部垂直部から一般的に水平に伸張していて、そこにベアリングを収容するための一般的に平らな長手方向のベアリング走行路を有する、下部アームと、
前記下部アームから一般的に垂直上方向に伸張するリップと、
を備えており、
該引き出しスライド部材は、中間スライド部材を具備しており、
前記中間スライド部材は、
中央の垂直なウエッブ部と、
前記中央の垂直なウエッブ部に実質的に平行で且つそれからオフセットする、上部垂直部と、
前記上部垂直部から一般的に水平に離れるように伸張して第１の上部ベアリング走行路を形成する上部アームであって、前記アームは、前記走行路からある角度を持って更に伸張しており、その後前記上部垂直部に向かって一般的に水平に伸張して第２の上部ベアリング走行路を形成する、上部アームと、
前記中央垂直ウエッブ部に実質的に平行で且つそこからオフセットする下部垂直部であって、そこでは前記上部と下部垂直部が実質的に整列する下部垂直部と、
前記下部垂直部から一般的に水平に離れるように伸張して第１の下部ベアリング走行路を形成する下部アームであって、前記アームは、前記走行路からある角度を持って更に伸張しており、その後前記下部垂直部に向かって一般的に水平に伸張して第２の下部ベアリング走行路を形成する、下部アームと、
を備えており、
該引き出しスライド部材は、内側スライド部材を具備しており、
前記内側スライド部材は、
垂直ウエッブ部と、
前記上部垂直部から一般的に水平に伸張する上部アームと、
前記垂直ウエッブから一般的に水平に伸張する下部アームと、
を備えており、
該引き出しスライド部材は更に、前記ベアリング走行路内に配設されていて且つ前記ベアリング走行路に転がり係合する複数のベアリングと、
を具備する、引き出しスライド部材。
【請求項２３】
前記外側スライド部材の各ベアリング走行路は、前記ベアリングを収容するための線形のガセットを具備する請求項２２に記載の引き出しスライドアセンブリ。
【請求項２４】
前記ガセットは前記走行路内に圧入される請求項２３に記載の引き出しスライドアセンブリ。
【請求項２５】
前記ガセットは硬化加工される請求項２３に記載の引き出しスライドアセンブリ。
【請求項２６】
前記ガセットは冷間圧延加工により硬化される請求項２３に記載の引き出しスライドアセンブリ。
【請求項２７】
前記ガセットは６５度のベアリング接触角度を形成する請求項２３に記載の引き出しスライドアセンブリ。
【請求項２８】
前記ボールベアリングの寸法は名目上少なくとも３ｍｍである請求項２２に記載の引き出しスライドアセンブリ。
【請求項２９】
設置ブラケットを更に具備する請求項２２に記載の引き出しスライドアセンブリ。
【請求項３０】
前記設置ブラケットは前記外側スライドに係合するように適合されるフェースプレートを具備する請求項２９に記載の引き出しスライドアセンブリ。
【請求項３１】
前記設置ブラケットは三角形パターンで配置される設置孔を具備する請求項２９に記載の引き出しスライドアセンブリ。
【請求項３２】
前記設置孔は前記設置ブラケットを通り突き出る請求項３１に記載の引き出しスライドアセンブリ。
【請求項３３】
前記設置孔はネジ切られる請求項３１に記載の引き出しスライドアセンブリ。
【請求項３４】
前記設置ブラケットは、構造に係合するように適合される前部フランジを具備する請求項２９に記載の引き出しスライドアセンブリ。
【請求項３５】
前記前部フランジはエンボス加工された設置孔を具備する請求項３４に記載の引き出しスライドアセンブリ。
【請求項３６】
前記設置ブラケットは前記外側スライドを収容するように適合された覆いフランジを具備する請求項２９に記載の引き出しスライドアセンブリ。
【請求項３７】
前記前部フランジを構造に接合するように形成されるピンを更に具備する請求項３４に記載の引き出しスライドアセンブリ。
【請求項３８】
前記引き出しスライドアセンブリの名目上の幅は９．５ｍｍ（０．３７５インチ）である請求項２２に記載の引き出しスライドアセンブリ。
【請求項３９】
引き出しスライド部材において、この引き出しスライド部材は、
外側スライド部材を具備しており、
前記外側スライド部材は、
垂直なウエッブと、
前記垂直なウエッブから一般的に水平に伸張していて、そこにベアリングを収容するための一般的に平らな長手方向のベアリング走行路を有する、上部アームと、
前記上部アームから一般的に垂直下方向に伸張するリップと、
前記垂直なウエッブから一般的に水平に伸張していて、そこにベアリングを収容するための一般的に平らな長手方向のベアリング走行路を有する、下部アームと、
前記下部アームから一般的に垂直上方向に伸張するリップと、
を備えており、
該引き出しスライド部材は、中間スライド部材を具備しており、
前記中間スライド部材は、
垂直なウエッブと、
前記垂直なウエッブから一般的に水平に離れるように伸張して第１の上部ベアリング走行路を形成する上部アームであって、前記アームは、前記走行路からある角度を持って更に伸張しており、その後前記上部垂直部に向かって一般的に水平に伸張して第２の上部ベアリング走行路を形成する、上部アームと、
前記垂直なウエッブから一般的に水平に離れるように伸張して第１の下部ベアリング走行路を形成する下部アームであって、前記アームは、前記走行路からある角度を持って更に伸張しており、その後前記下部垂直部に向かって一般的に水平に伸張して第２の下部ベアリング走行路を形成する、下部アームと、
を備えており、
該引き出しスライド部材は、内側スライド部材を具備しており、
前記内側スライド部材は、
垂直ウエッブ部と、
前記垂直ウエッブから一般的に水平に伸張する上部アームと、
前記垂直ウエッブから一般的に水平に伸張する下部アームと、
を備えており、
該引き出しスライド部材は更に、前記ベアリング走行路内に配設されていて且つ前記ベアリング走行路に転がり係合する複数のベアリングと、
を具備する、引き出しスライド部材。
【発明の詳細な説明】
【０００１】
・発明の背景
本発明は一般的に、引き出し（ドローワー）スライドに係わり、より特別には伸縮自在な（望遠鏡式）引き出しスライドに関する。
【０００２】
引き出しスライドは、伸張可能な連結（ｃｏｕｐｌｅ）式引き出し、トレー及びキャビネット（戸棚）へのラック搭載式装置、ラック（棚）等に使用されることが良くある。引き出しスライドは、キャビネット又はラックに接続された１つの細長い部材と、引き出し又は装置に取り付けられた別の細長い部材とを有することによりその様に作動する。前記細長い部材は、滑動可能に接続されて、お互いに対して長手方向に伸張可能である。この伸張は、引き出し又は装置へのアクセス（到達）を容易にする。
【０００３】
１つのタイプの引き出しスライドは、伸縮自在な引き出しスライドである。伸縮自在な引き出しスライドは一般的に、外側の幾分Ｃ字形状の部材を有する。内側部材もまた一般的に、Ｃ形状であり、一般的に主として前記外側部材内に入れ子状である。時々中間部材が、前記外側部材と前記内側部材との間に設置される場合がある。前記中間部材を有することは、引き出し又は装置の伸張を大きくすること可能にする。
【０００４】
幾つかの用途において、ボールベアリングがスライド部材に接続する。ボールベアリングは、スライド部材の長手方向の角部に沿って形成された走行路に設置されており、前記ベアリングは滑動可能又は転がり可能に前記スライド部材に接続する。ボールベアリングの使用により、滑らかで全体的に矛盾のない移動が可能になる。
【０００５】
多くの用途、特にラック搭載式用途において、引き出しスライドの幅にはある種の重要性がある。非常に薄い幅を有する引き出しスライドの使用は、引き出しスライドにより占有される空間を減少して、装置が共により接近して設置されることを可能にしており、それによりより多くの装置が特別なラックに設置されることを可能にする。
【０００６】
引き出しスライドの幅の低減はしかし、幾つかの問題を生じてしまう。時々、装置の重量が、重要であり得る場合があり、引き出しスライドは実質的な荷重を支持可能でなければならない。これは特に、引き出しスライドが伸張されている場合にそうであり、その際重量は、ラックから実質的に遠く離れた状態である。更に、引き出しスライドが負荷の支持を出来ないことは一般的に許容可能なことではない。これは例えば、ラック搭載式装置の価値と引き出しスライドとの間のひどい不釣り合いによる。これはまた、例えば種々の安全性の理由にとって重要である。
【０００７】
・発明の簡単な概要
本発明は薄い伸縮自在な引き出しスライドを提供する。
本発明のこの及び別の形態は、以下の図面及び添付される詳細な説明を参照してより直ちに理解されるであろう。
【０００８】
・詳細な説明
図１は、本発明の形態に従う伸縮自在な引き出しスライドを図解する。引き出しスライドは外側部材１１を具備する。外側部材は、実質的に細長いウエッブ１３と、前記細長いウエッブの上部及び下部の縁部に沿う下部ベアリング走行路１７と、上部ベアリング走行路１５とを有する。用語「上部」、「下部」及び別の方向的な用語は、キャビネット等へのスライドの通常の搭載に従って、説明の便宜上から使用されている。
【０００９】
中間スライド部材１９は、外側スライド部材内に入れ子状態で設置される。中間スライド部材は長手方向に細長いウエッブ２１を有する。中間スライド部材は、上部外側ベアリング走行路２３と、上部内側ベアリング走行路２４と、下部外側ベアリング走行路２５と、更に下部内側ベアリング走行路２６とを、やはり前記細長いウエッブの上部及び下部の長手方向の縁部に沿って有する。内側スライド部材２７は、中間スライド部材のベアリング走行路内に入れ子状態で設置される。内側スライド部材は、やはり上部及び下部のベアリング走行路２９，３１それぞれが細長いウエッブの縁部に沿う状態で、細長いウエッブ２９を有する。スライド部材はお互いに対して長手方向に伸張可能である。
【００１０】
図１のスライドはまた、中間引き出しスライドに回転可能に接続されるラッチタブ１６を具備する。そのタブは、外側スライド上のエンボス（溝）（図示されない）上を移動されており、重力により下方向に付勢されており、それにより中間スライドが外側スライドに対して閉じること（ｃｌｏｓｉｎｇ）を防止する。内側スライドが閉じられる場合に、そのベアリング走行路は、それ（タブ）を上方向でその固定位置から外れるように移動させるように前記タブに係合し、それにより再度外側スライドに対して中間スライドが閉じることを可能にする。
【００１１】
図２は図１の引き出しスライドの断面を図示する。引き出しスライドは、外側スライド部材４１と、中間スライド部材４３と、内側スライド部材４５とを具備する。各スライド部材は、垂直ウエッブの上部及び下部の縁部内に形成されたベアリング走行路を有するそれぞれの垂直ウエッブ６１，６３，６５を有する。中間スライド部材は、外側スライド部材のベアリング走行路５１，５２内に、ほとんど入れ子状態で設置されており、内側スライド部材は、中間スライド部材のベアリング走行路５５，５６内に、ほとんど入れ子状態で設置される。
【００１２】
図２から分かるように、ベアリング４７は、外側スライド部材の上部走行路５１と、中間スライド部材の上方向を向く上部走行路５３との間に配設されており、ベアリング４９はまた、中間スライド部材の下方向を向く上部走行路５５と、内側スライド部材の上部走行路５７との間に設置される。同様に、ベアリングは、外側スライド部材の下部ベアリング走行路のフレーム（構造）の走行路と、中間スライド部材との間に配設されており、更に同様に中間スライド部材と、内側スライド部材との間に配設される。ベアリングはスライド部材を滑動可能に接続する。ベアリングは、走行路内に直接的に配設されても良く、あるいはベアリングスペーサ４８又は走行路内の保持具５８内に配置されても良く、それらはベアリングを保持し、且つ適切に間隔を開けさせるように作用する。オペレーション（作動）において、ベアリングはまた、内側スライド部材から中間スライド部材へ、その後外側スライド部材へと、荷重を伝達するように作用する。外側スライド部材の断面は図３に図示される。外側スライド部材は、上部ベアリング走行路７３が垂直ウエッブの上部縁部に沿う状態で、更に下部ベアリング走行路７５が垂直ウエッブの下部縁部に沿う状態で垂直ウエッブ７１を有する。一つの実施の形態において、軽い段付きの（ｊｏｇｇｌｅｄ）オフセット７７，７９は、垂直ウエッブをベアリング走行路に接続する。オフセットは、ベアリング走行路が垂直ウエッブから伸張する同じ一般的な方向にあり、垂直ウエッブ７１の中央部をそれぞれの端部７８，８０に接続する。端部７８，８０は、垂直ウエッブ７１の中央部に実質的に平行である。オフセットは、垂直、水平及び／又は捻り荷重が作用した場合に、スライド部材の曲がり又は反りを最小にする。加えて、オフセットは、ベアリング走行路に追加的な水平のオフセットを形成しており、それ（オフセット）は、外側と中間のスライド部材のウエッブ間にハードウエア（機械装備類）又は別の物品を設置するための追加的空間を形成する。この追加的空間は、例えば本発明の薄い実施の形態において有用であり、更に当業者にとって既知な特別な寸法のネジ、リベット、スタンドオフ（ｓｔａｎｄ−ｏｆｆｓ）、ペムナット（ｐｅｍ−ｎｕｔｓ）、差し込み具（ｂａｙｏｎｅｔｓ）又は別の機械装備類等の特定の機械装備類のための隙間を収容するように変形されても良い。１つのその様な薄い実施の形態において、９．５ｍｍ（０．３７５インチ）幅で、４１．１ｍｍ（１．６２）インチ高さの筐体を有する引き出しスライドが形成された。
【００１３】
図４は、外側スライドの軽い段付きのオフセットをこれとは別に図示しており、更にベアリング走行路におけるガセット（Ｇｕｓｓｅｔ：ひだ）８１を図示する。線形の（ｌｉｎｅａｒ）ガセットは、ベアリング走行路の長さに沿って実質的に伸張する。図示されるように、ガセットはベアリング走行路の中央ラインに実質的に沿っている。線形のガセットは、走行路内に設置されたベアリングの動き、特に横の動きを抑制するように作用する。１つの実施の形態においてガセットは、ベアリング走行路の表面を押圧することにより形成される。この押圧作用は、ボールベアリングに接するために冷間圧延（ｒｅｄｕｃｅｄ）加工で硬化された表面を形成するように作用しており、この表面はブリネル（Ｂｒｉｎｅｌｌｉｎｇ）効果を制限する。
【００１４】
１つの実施の形態において、線形のガセットは、走行路に設置されたボールベアリングに関して６５度の接触角度を可能にする。加えて線形のガセットの半径は、１つの実施の形態において、３ｍｍの寸法のボールベアリングの点接触を可能にする隙間を形成する。
【００１５】
１つの実施の形態において、一体式停止が、上部及び下部のベアリング走行路内に形成される。この停止は、ベアリング又はベアリングスペーサと接触し且つそれらを含む一方で、外側部材溝の材料の一体性を保持し、形成された停止のための最大せん断強度を提供する。その様な停止は、長手方向の動きを制限するために設置されても良い。
【００１６】
図５は中間スライド部材の断面を図示する。中間スライド部材は、ベアリング走行路９３，９５が垂直ウエッブの上部及び下部縁部に沿う状態で実質的に垂直なウエッブを具備する。垂直ウエッブは、垂直ウエッブの２つのジョグ（段付部）１０１，１０３により上部９６と下部９８とから差し込まれる（ｉｎｓｅｔ）、中央部９７を具備する。その差し込まれた中央部は、図２において示されるように、中間スライド部材の垂直ウエッブと外側スライド部材の垂直ウエッブとの間の距離を増大可能にする。１つの実施の形態において、垂直ウエッブの中央部は、十分にオフセットして、＃８ネジのための隙間を形成する。オフセット距離の設計は、特定の搭載機械装備類を収容するように変化されても良いことが認識される。前記差込み部（ｉｎｓｅｔ）はまた、スライド部材の剛性を増大して、スライド部材の長さに沿う捻れのより（ｔｗｉｓｔｉｎｇ）及び曲がりを最小にする。
【００１７】
１つの実施の形態において、ボールの経路は、スライド部材の一部を曲げることにより形成されて、垂直ウエッブに概略直角で概略二重の重なり（ｄｏｕｂｌｅｄ−ｏｖｅｒ）部分を形成する。その二重の部分は、上部ベアリング走行路を例とすると、外側部材ベアリング走行路１０５に対して中間部（ｉｎｔｅｒｍｅｄｉａｔｅ）を、内側部材ベアリング走行路１０７に対して中間部を形成する。２つの走行路は垂直方向でオフセットしている。垂直方向でのオフセットは、走行路を形成する材料がベアリング走行路に沿って実質的に一定の材料厚みを形成することを可能にする。一定の材料厚みは、改善された荷重支持容量及びスライド部材の材料の一体性の維持を可能にする。２つの走行路は、ボール経路に沿う部材の剛性を増大する角度のある移行部１０９により接続される。
【００１８】
内側スライド部材の断面が図６に示される。内側スライド部材は、上部及び下部のボールベアリング走行路１１３，１１５がそれぞれ垂直ウエッブの上部及び下部縁部に沿う状態で、垂直ウエッブ１１１を有する。走行路は、十分な距離でウエッブからオフセット（偏倚）しており、内側スライド部材を引き出し又は装置に設置するために使用される機械装備類の設置のための隙間を形成する。垂直ウエッブの幅はまた、設置において使用するために、タブに突き当り（ｌａｎｃｉｎｇ）、それを形成する等を可能にするのに十分である。
【００１９】
図１のスライドに戻ると、設置ブラケットが前記スライドに接続されることが分かる。より特別には図１において、前部設置ブラケット１５１は、外側スライド部材の概略前部角部に結合されており、後部設置ブラケット１５３は、スライド部材の概略後部角部に結合される。図７に図示されるように、設置ブラケットは、フェースプレート１６１を具備する。フェースプレートは外側スライド部材に対向する一方の側部１６３により設置されるように適合される。設置孔１６５は、フェースプレートを通り伸張して、設置ネジ、機械装備類等がフェースプレートを固定すること可能にし、それにより設置ブラケットを外側スライド部材に固定可能にする。
【００２０】
図７に示されるように設置孔は、フェースプレートの前方及び後方角部付近に三角形パターンで配置される。前記孔のその様なパターンでの配置により、設置ブラケットが外形を変化させる、特に高さを変化させるスライドと共により容易に使用されることを可能にする。一つの実施の形態において、孔は、突起１６７が外側スライド部材に設置されるフェースプレートの側部から離れてフェースプレートから外側に伸張する状態で、突き出る。前記突起は一つの実施の形態において、ねじ切られており、それによりフェースプレートを外側スライド部材に設置する場合において、使用の容易さを向上可能にし、更にたぶんより重要なことは、機械装備類の必要性を低減可能にする。
【００２１】
設置ブラケットはまた、フェースプレートの頂部及び底部角部に沿って伸張する覆いのフランジ１７１，１７３（図１に示されるように）を具備する。覆いのフランジは、スライドの方向に伸張する。覆いのフランジは、図１に示されるように、外側スライド部材を抱き込むか又は収容するように適合される。覆いのフランジは、前記スライド部材の支持を改善可能にしており、それ（前記スライド部材）、この例では外側スライド部材に対して、前記設置ブラケットは適合される。
【００２２】
図７に戻ると、設置ブラケットはまた前部フランジ１８１を具備する。前部フランジは、便宜上フェースプレートの前部と呼ばれるものから伸張する。明らかなように、設置ブラケットは、スライドの後部の方向又はスライドの前部の方向のいずれかにおいて、フェースプレートの前部によってスライドに設置されても良い。設置ブラケットがスライドに設置される場合には、前部フランジはスライドから離れる方向で伸張する。
【００２３】
３つの孔１８３は、前記フランジに設置される。孔は、一本の線で設置されており、設置ブラケットをフェースフレーム、垂直ビーム（梁）、ラック、及び同様な構造物に取り付けるためのボルト、ピン及び別の機械装備類を受容するために適している。図１に示されるように、前部フランジは、スライドから離れて伸張しており、垂直ウエッブにより形成された平面及びスライドの伸張方向の両者に主として垂直である。
【００２４】
前部フランジの孔は、一つの実施の形態において、エンボス（浮き彫り）されており、前部フランジの前部の面に向かって伸張する（ここで、「前部」は前部フランジの説明に対して考慮されるものである）。孔は従って、例えば、前部フランジの後部から前部フランジの前面に設置されるピンのより容易な着座を可能にする。更には、正方形の孔１９１，又は十分に大きな円形孔１９３を有するラックに関して、図８に示されるように、前部フランジの前部の伸張する突起は、据え付けにおいて、ラックの位置にフランジのより素速い着座を可能にする。
【００２５】
一つの実施の形態において使い捨て可能なピン２０１はまた、据え付けの容易さを向上するために具備される。図８と９に示されるように、ピンはピンの中央部の付近に（胴のような）膨らみ２０３を有する実質的に円筒形状である。前記膨らみは前部フランジの孔に対して、ピンが孔内にパチンと嵌め込み可能な締まり嵌めを形成するように寸法決めされる。ピンの前方角部の直径は、ラック内の孔又は開口に対して、ピンが開口内に設置されて、それにより据え付けにおいて設置ブラケット及びスライドを支持しても良いように寸法決めされる。据え付けが完了して設置機械装備類が配置され固定された後に、ピンは取り外されて廃棄されても良い。
【００２６】
一つの実施の形態において、ピンはピンの中央部の周りに開口２０５を具備する。前記開口は前部フランジの周りにおいてピン内に弱い部分を形成する。この弱い部分は、追加の力が前部フランジの周りでピンをてこで動かすように加えられた場合に、もはや必要とされない場合に、ピンを破壊し、フランジからピンを取り外すように、一つの実施の形態において設計される。これとは別の実施の形態において、ピンがもはや必要とされない場合に、力をピンの前部に作用して、前部フランジとの係合からピンを開放する。
【００２７】
本発明は従って、薄い引き出しスライド及び付属する有用な関連品目を提供する。本発明は、特定の実施の形態に関して記述されたが、本発明が特に記述された以外のものとして実施されても良いことが認識されなければならない。従って本発明は、本明細書及びそれらの同様なものにより支持される請求項として見なされなければならない。
【図面の簡単な説明】
【図１】
図１は、本発明の形態に従う伸縮自在な引き出しスライドの等角投影図である。
【図２】
図２は、本発明に従う伸縮自在な引き出しスライドの断面図である。
【図３】
図３は、本発明の形態に従う外側スライド部材の断面図である。
【図４】
図４は、図３の外側スライド部材のベアリング走行路の断面図である。
【図５】
図５は、本発明による中間引き出しスライド部材の断面図である。
【図６】
図６は、本発明の形態に従う内側スライド部材の断面図である。
【図７】
図７は、本発明の形態に従う設置ブラケットの等角投影図である。
【図８】
図８は、図７の設置ブラケットと設置ラックのストラット（支柱）の等角投影図である。
【図９】
図９は、図７の設置ブラケットと設置ラックのストラットの側面図である。
【図１０】
図１０は、引き出しスライドに取り付けられた図７の設置ブラケットの等角投影図である。
【国際公開パンフレット】
2005505327.tif 000003
2005505327.tif 000004
2005505327.tif 000005
2005505327.tif 000006
2005505327.tif 000007
2005505327.tif 000008
2005505327.tif 000009
2005505327.tif 000010
2005505327.tif 000011
2005505327.tif 000012
2005505327.tif 000013
2005505327.tif 000014
2005505327.tif 000015
2005505327.tif 000016
2005505327.tif 000017
2005505327.tif 000018
2005505327.tif 000019
2005505327.tif 000020
2005505327.tif 000021
2005505327.tif 000022
2005505327.tif 000023
【国際調査報告】
2005505327.tif 000024